(57)【要約】【課題】多角形効果を有さないチェーンまたはステップチェーンまたはパレットチェーン用の駆動および／または逆転要素を提供することであり、または僅かな衝撃しか発生せず、上記の欠点を回避すること。【解決手段】複数の第１および第２のチェーンピン３Ａ、３Ｂ、３Ｃ、３Ｄ、およびそれらを接続するチェーンプレート４を備えた、チェーン２用の、本発明による駆動および／または逆転要素１、より詳細には、人を輸送するための連続輸送装置の駆動および／または搬送チェーンは、第１のピッチ円５上の第１のチェーンピン３Ａ、３Ｃと、第２のピッチ円６上の第２のチェーンピン３Ｂ、３Ｄとが、交互に、駆動および／または逆転要素と係合するような、第１のピッチ円（５）と第２のピッチ円（６）とを有する。【選択図】図４
2008013370.tif 000002
【特許請求の範囲】
【請求項１】
複数の第１および第２のチェーンピンまたはチェーンローラまたはチェーンランナ（３Ａ、３Ｂ、３Ｃ、３Ｄ）と、それらを接合するチェーンプレートまたはチェーンリンク（４）とを備えたチェーン（２）用の、詳細には、人を輸送するための連続輸送装置の駆動および／または搬送チェーン用の駆動および／または逆転要素（１）であって、
駆動および／または逆転要素が、第１のピッチ円（５）と第２のピッチ円（６）とを有し、これにより、第１のピッチ円（５）上の第１のチェーンピン（３Ａ、３Ｃ）と、第２のピッチ円（６）上の第２のチェーンピン（３Ｂ、３Ｄ）とが、交互に、駆動および／または逆転要素と係合するようになっている、駆動および／または逆転要素。
【請求項２】
チェーンピンが、回転可能または摺動可能または旋回可能に支持されたチェーンローラまたはチェーンランナを有し、それを介して、チェーンピンが駆動および／または逆転要素と係合し始める、請求項１に記載の駆動および／または逆転要素。
【請求項３】
歯部（７）を備えたスプロケットとして実現され、チェーンピンまたはチェーンローラがそれぞれ、スプロケットの歯空間（８Ａ、８Ｂ、８Ｃ、８Ｄ）で係合する、請求項１または２に記載の駆動および／または逆転要素。
【請求項４】
歯部が、第１のピッチ円（５）上の第１の歯空間（８Ａ、８Ｃ）と、第２のピッチ円（６）上の第２の歯空間（８Ｂ、８Ｄ）とを交互に有する、請求項３に記載の駆動および／または逆転要素。
【請求項５】
くさび型ホイールペアとして実現され、チェーンピンまたはチェーンローラがそれぞれ、くさび型ホイールと確実に接触する、請求項１または２に記載の駆動および／または逆転要素。
【請求項６】
くさび型ホイールが、第１のくさび角度を有する第１の領域と、異なる第２のくさび角度を有する第２の領域とを交互に有し、
第１のピッチ円（５）が、第１の領域を有する第１のチェーンピンの接触点によって画定され、第２のピッチ円（６）が、第２の領域を有する第２のチェーンピンの接触点によって画定される、請求項５に記載の駆動および／または逆転要素。
【請求項７】
第３のピッチ円をさらに有し、これにより、第１のピッチ円（５）上の第１のチェーンピン（３Ａ、３Ｃ）と、第２のピッチ円（６）上の第２のチェーンピン（３Ｂ、３Ｄ）と、第３のピッチ円上の第３のチェーンピンとが、駆動および／または逆転要素と交互に係合する、請求項１から６のいずれか一項に記載の駆動および／または逆転要素。
【請求項８】
第１のピッチ円上の第１のチェーンピンを案内する第１の案内レール（９）および／または第２のピッチ円上の第２のチェーンピンを案内する第２の案内レール（１０）を有する、請求項１から７のいずれか一項に記載の駆動および／または逆転要素。
【請求項９】
第１または第２の案内レールそれぞれが、駆動および／または逆転要素から外れるまで、第１または第２の各ピッチ円上の第１または第２のチェーンピンをそれぞれ案内する、請求項８に記載の駆動および／または逆転要素。
【請求項１０】
第１および／または第２のチェーンピンが、第１または第２の案内レール上をそれぞれ走行または摺動する、請求項８または９に記載の駆動および／または逆転要素。
【請求項１１】
チェーンが、第１および／または第２のピッチ円上を接線方向に走行する、請求項１から１０のいずれか一項に記載の駆動および／または逆転要素。
【請求項１２】
チェーンが、第１および／または第２のピッチ円から出て接線方向に走行する、請求項１から１１のいずれか一項に記載の駆動および／または逆転要素。
【請求項１３】
複数の第１および第２のチェーンピン（３Ａ、３Ｂ、３Ｃ、３Ｄ）と、それらを結合するチェーンプレート（４）と、請求項１から１２のいずれか一項に記載の駆動および／または逆転要素と、を備えたチェーン（２）を用いるチェーンシステムであって、詳細には、人を輸送するための連続輸送装置用チェーンシステム。
【発明の詳細な説明】
【技術分野】
【０００１】
本発明は、チェーン用の、より詳細には、人または乗客およびその手荷物を輸送するための連続輸送装置の駆動および／または搬送チェーン用の、駆動および／または逆転要素に関する。
【背景技術】
【０００２】
今日、機械およびシステムの構造体内に、無数の様々なチェーン、例えば、人を輸送する連続輸送装置、より詳細には、エスカレータ、コンベアまたは動く歩道の駆動チェーンが用いられている。
【０００３】
駆動要素は、チェーンまたはステップチェーンまたはパレットチェーンを循環方向に駆動し、一方、逆転要素は、回転により、逆転要素の個々の並進ベルトセグメントを相互に動かす。好ましくは、必須ではないが、駆動要素と逆転要素とは一致し、例えば、スプロケットまたはくさび型ディスクの形状に形成されている。このため、ここでは次に、係合要素について簡単に述べる。係合要素は、係合要素が駆動および／または逆転するチェーンまたはステップチェーンと確動および／または非確動に係合することによって、チェーンまたはステップチェーンと係合する。
【０００４】
このような係合要素は、いわゆる多角形効果の結果、長手方向（すなわちチェーンの移動方向）およびそれに垂直の横方向において、チェーンストランドの速度が変動する原因となる。これは、個々のチェーンリンクがスプロケットまたは係合要素上を走行するときに、逆転することに起因する。これが生じると、チェーンリンクは、チェーンストランドの循環方向と垂直に突然加速力を受ける。この理由は、個々のチェーンリンクが急激な回転衝撃、つまり加々速度または推力起動（ｒｕｎｎｉｎｇ−ｉｎ  ｊｅｒｋｓ  ｏｒ  ｒｕｎｎｉｎｇ−ｉｎ  ｔｈｒｕｓｔ）を受けるためである。反対に、走行が止まるとき、この回転衝撃によって、チェーンは、係合要素の回転方向に巻き込まれるようになる。
【０００５】
多角形効果を詳しく理解するために、多角形結果は、発生した振動の結果として、維持されたチェーン上で騒音を発生させる主要因となって、チェーンを磨耗させる原因となり、人の輸送装置の場合、運動の不愉快な不規則性を引き起こす。参照は関連専門家の文献、例えば、Ｐ．Ｆｒｉｔｚによる「Ｄｙｎａｍｉｋ  ｓｃｈｎｅｌｌｌａｕｆｅｎｄｅｒ  Ｋｅｔｔｅｎｔｒｉｅｂｅ」、ＶＤＩ−Ｖｅｒｌａｇ、１９９８年を参照すべきであり、その全体は本明細書に引用している。
【０００６】
図１で概略的に示されている従来の係合要素１００においては、チェーン２００は、チェーンピン３００がその後ピッチ円５００上を半径Ｒ５００で走行するように、ピッチ円５００内を接線方向に接触して走行する。図１において理想的な形で示されているように、点線で示された垂直平面内のピンが最初に係合要素１００と係合し始め、この点からピンは速度ｖ＝Ｒ５００×ω（ωは、係合要素の一定の回転速度）で進むように強制される。負荷端部の長手方向（図１に描された平面では、水平方向）の速度Ｌ＝ｖ×ｃｏｓ（α）は、角度αが大きくなるにつれて小さくなる。これにより、負荷端部は、次のピン３００が係合し始め、急速にｖまで加速されるまで、この低減速度Ｌで移動する。この結果、周期的に変動する端部速度Ｌ＝Ｒ５００×ω×ｃｏｓ（α）が生じる。
【０００７】
多角形効果を回避するために、国際公開００／０７９２４は、図２で概略的に示されているように、チェーン２１０が接線方向に走行する小さな活動円（図２では点線で図示）から一部湾曲した案内レール（図示せず）上を、大きなピッチ円５１０（図２では点線で図示）上にチェーンピン３１０を徐々に移動させることを提案している。簡単に言えば、運転開始のチェーンピン３１０が案内される半径ｒによって、ｒ（α）＝Ｒ５００／ｃｏｓ（α）の比率が大きくなるならば、一定の端部速度Ｌ＝Ｒ５００×ωを生成することができ、一方チェーンピンｗの速度はｗ＝Ｒ５１０×ωに対応して増加する。
【０００８】
係合要素は、一定のピッチ円５１０を備えたスプロケット１１０として実現される。湾曲した案内レールの領域で、チェーンローラがスプロケットの歯元から離れて持ち上がること、すなわち、チェーンローラが係合要素に対してピッチ円上を移動することは欠点と考えられ、それによって早期磨耗だけでなく騒音発生の原因となる。チェーンピン３１０が最も低い点で歯元に接触する係合状態は、図２の説明で示されている。簡略化された図では、実際の接触形状から生じる最初の係合の開始は無視されているが、基本原理に影響を及ぼすことはない。図面の残りの部分における塗りつぶされていない歯の空間で明らかなように、チェーンピン３１０は、小さい活動円から大きなピッチ円５１０に移動し、それによって、スプロケット１１０の歯に対して上向きに摺動する。
【特許文献１】国際公開第００／０７９２４号パンフレット
【発明の開示】
【発明が解決しようとする課題】
【０００９】
したがって、本発明の目的は、多角形効果を有さないチェーンまたはステップチェーンまたはパレットチェーン用の駆動および／または逆転要素を提供することであり、または僅かな衝撃しか発生せず、上記の欠点を回避することである。
【課題を解決するための手段】
【００１０】
この目的は、請求項１による係合要素によって達成される。
【００１１】
本発明によれば、係合要素またはスプロケットは、直径が異なる第１のピッチ円と第２のピッチ円とを有し、第１のピッチ円上の第１のチェーンピンと第２のピッチ円上の第２のチェーンピンは、係合要素と交互に係合し始めるかまたは係合している。
【００１２】
「交互に」とは、係合要素と交互にまたは混合して係合可能なチェーンピンの、任意で所定の順序のことを意味する。
【００１３】
第１のチェーンピンが第１のピッチ円と係合し始め、チェーンの次のチェーンピンが第２のピッチ円と係合し始める（順番１−２−１−２．．．）ことが好ましい。
【００１４】
しかし、チェーンの最初のチェーンピンだけでなく、１つまたは複数の次のチェーンピンが、第１のピッチ円と係合し始め、次に、１つまたは複数の次のチェーンピンが第２のピッチ円と係合することも起こり得る。第１のピッチ円上で２つのチェーンピンが連続し、それらの後に、第２のピッチ円上を２つのチェーンピンが続く場合、順序は１−１−２−２−１−１−２−２．．．となる。同様に、第１のピッチ円上を３つのチェーンピンが連続し、それらの後、第２のピッチ円上を３つのチェーンピンが続く場合、順番は１−１−１−２−２−２−１−１−１−２−２−２．．．となる。自明のことながら、不規則な順番もまた起こり得る。その場合、例えば、第１のピッチ円上を２つのチェーンピンが連続した後、第２のピッチ円上を単一のチェーンピンが続く（順番１−１−２−１−１−２．．．）か、またはその逆もあり、第１のピッチ円上の単一のチェーンピンの後、第２のピッチ円上を２つのチェーンピンが続く（順番１−２−２−１−２−２．．．）。本発明の教示を用いて、多角形効果を除去する、第１および第２のチェーンピンの任意の他の順番および組み合わせが可能である。
【００１５】
この原理と国際公開００／０７９２４が作動する方法との類似性が、図３に極めて簡略化されて示されている。外側のピッチ円６上のチェーンピン３Ａが係合すると、国際公開００／０７９２４と同じ効果となり、すなわち、ピッチ円の半径がより小さいことによって、続くチェーンピン３Ｂが一定の負荷端部速度Ｌで引き込まれる。しかし、このチェーンピン３Ｂが係合要素と係合すると、国際公開００／０７９２４とは違って、より小さいピッチ円５上にとどまる。しかし、次のチェーンピン３Ｃがまた、より大きなピッチ円６上に持ち上げられるため、このピン３Ｃは、ピン３Ｃの長手方向の速度に加え、垂直成分を受け、それによってピン３Ｃの全体の速度、すなわち負荷端部が引き込まれる速度が増す。図１と関連して説明するチェーンピン３Ｂの速度の長手方向の成分が減少した結果、負荷端部の速度の減少を補償することができる。チェーンピン３Ｃは、（図３に概略的に示すように）それがその後係合する、より大きなピッチ円６の回転速度まで加速する。
【００１６】
したがって、国際公開００／０７９２４においては、各チェーンピンはより小さな活動円と最初に係合し、その後、より大きなピッチ円上の歯空間内に摺動するが、本発明によれば、チェーンピンは種々のピッチ円内で交互に係合する。その結果、チェーンピンは係合要素またはスプロケットに対して、外向きや上向きには摺動せず、種々のピッチ円の内に残っている。これによって、チェーンピンと係合要素間の相対的な動きの結果生じる騒音だけでなく、磨耗や摩滅が低減される。
【００１７】
好ましい実施形態においては、全体に逆転している間、チェーンピンは、スプロケットとして実現された係合要素の歯元上に載っている。この結果、より安定して案内されるばかりでなく、チェーンの垂直および鉛直方向の振動を減衰および低減する。
【００１８】
多角形効果を減少または除去することによって、本発明による係合要素を備えたチェーン駆動装置の騒音および磨耗挙動が大幅に改善される。多角形効果はチェーンピッチ（チェーンピン間の距離）に略比例しているため、多角形効果が低減または除去された結果、より大きなピッチまたはより小さな係合要素の直径またはスプロケットの直径が実現可能である。スプロケットの直径は、スプロケットの歯の数に比例、すなわちピッチに直接比例しているため、より大きなピッチでは、歯が少なくなり、スプロケットがより簡単、またはより簡単に製造可能であることを意味する。この結果、材料費、製造および連続生産の点で有利となる。
【００１９】
好ましくは、チェーンピンは、それ自体は知られている方法で回転可能に支持され、これらを介してチェーンピンが係合要素と係合するチェーンローラまたはスチールローラまたはプラスチックローラまたはブッシュを包含する。これ以降、用語のチェーンピンを引用するとき、滑り摩擦の代わりに回転した結果として、摩擦および磨耗の低減に寄与する、これらの周囲のチェーンローラまたはチェーンブッシュを含むものとする。
【００２０】
基本原理の説明ですでに述べたように、本発明の好ましい実施形態においては、係合要素は、チェーンピンがスプロケットの歯空間と係合する歯部を備えたスプロケットとして実現されている。これによって、チェーンピンと係合要素との間を確実に安定して係合することができる。歯部は、第１のピッチ円の第１の歯空間と、第２のピッチ円の第２の歯空間とを交互に有することが有利である。「交互」とは、交互に配置されたまたは任意の順番で混合されることができる歯空間の任意の所定の順番を意味する。
【００２１】
代替の実施形態では、係合要素は、くさび型のホイールペアとしても同様に効果的に実現可能である。チェーンピンはくさび型ホイールと確実に接触するようになる。種々のピッチ円を形成するために、くさび型ホイールは、第１のくさび角度を有する第１の領域と、第１のくさび角度とは異なる第２のくさび角度を有する第２の領域とを交互に有することができる。第１のピッチ円は、第１のチェーンピンの第１の領域との接点によって画定され、第２のピッチ円は、第２のチェーンピンの第２の領域との接点によって画定されている。くさび型ホイールは、一方では、必要確実な係合を作り出すために最小の押付け力を必要とするが、他方では、ギアやステップギアを追加せずに、同じ駆動ユニットを用いて、種々の逆転半径および駆動比を無段階に設定することができる。
【００２２】
本発明によれば、チェーンピンが交互に走る、少なくとも２つの異なるピッチ円が実現される。しかし、本発明による係合要素は、第１のピッチ円上の第１のチェーンピンと、第２のピッチ円上の第２のチェーンピンと、第３のピッチ円上の第３のチェーンピンが交互に係合要素と係合するように、第３のピッチ円を有することができる。それによって、第３またはそれ以上のピッチ円は、交互のピッチ円という基本原理を保持しつつ、チェーンの精密な分割を可能にする中間段階を表している。
【００２３】
本発明の特に好ましい実施形態においては、係合要素は、それぞれ第１または第２のピッチ円上にある第１または第２のチェーンピンを誘導する第１および／または第２の案内レールを包含している。特に、より大きなピッチ円上でチェーンピンを案内する案内レールは、これらのチェーンピンに、長手方向の速度と垂直な鉛直方向の速度をさらに与え、それによって、先のチェーンピンの低減した長手方向の成分を補償する。しかし、チェーンピンは、係合要素自体によってのみでも、同様に良好に案内可能である。例えば、スプロケットの歯空間は対応するピッチ円上で案内される。形状に依存する小さな多角形効果が残るが、従来のシステムと比較すると、大幅に低減される。それによって、係合要素に対するチェーンピンの摺動がさらに防止され得る。
【００２４】
接触形状によって、このような相対的な摺動は、完全に回避される必要はないが、原理上は、種々のピッチ円上で発生することによって相対的な摺動は低減される。
【００２５】
上記の特に好ましい実施形態をさらに発展させると、第１および第２の案内レールは、それぞれ、第１および第２の案内レールが係合要素から外れるようになるまで、第１および第２のピッチ円上の第１および第２のチェーンピンをそれぞれ案内する。それによって、チェーンの巻き込みが避けられるか、少なくとも低減することができる。さらに、それによって、係合要素に対してチェーンピンが摺動することも減少するか、または完全に摺動しなくなる。
【００２６】
本発明による係合要素では、上述のようなピッチ円上のチェーンピンの案内は、第１および／または第２のチェーンピンが第１および第２の案内レール上をそれぞれ走行するという点で、それ自体は知られている方法で実現されることが好ましい。特に有利には、本発明をさらに発展させると、案内部は、二等分されるチェーンストランドの循環の面内に設けられる。最初の半分は第１の案内レールを形成し、２つ目の半分は、それに反して、第２の案内レールを形成している。対向する側の最初の半分では、第１のチェーンピンは、特に第１のチェーンローラに対して直径がより大きく、この結果、第１の案内レール上を走行する。一方、同様に、反対側の第２のチェーンピンは、特に第２のチェーンローラに対して直径がより小さく、この結果、第２の案内レール上を走行する。
【００２７】
垂直または鉛直方向にさらに加速することを避けるために、本発明の係合要素は、チェーンが第１および／または第２のピッチ円上を接線方向に走行し、第１および／または第２のピッチ円から接線方向に離れて走行するように実現されることが好ましい。
【００２８】
本発明のさらなる目的、特徴および利点は、特許請求の範囲と例示的な実施形態とから達成される。
【００２９】
本発明は、スプロケットを参照することによって、以下に極めて詳細に説明される。しかし、本発明は、他の係合要素、特に、すでに上述したくさび型ホイールペア、トロイドペア、または同様のギアもしくは機械構成要素によっても同様に効果的に実現されることができる。
【発明を実施するための最良の形態】
【００３０】
図４は、本発明による係合要素を、スプロケット１の形態で、側面から示している。反対側も塗りつぶされていない輪郭で示されている。
【００３１】
スプロケット１は、上側負荷端部から下側無負荷端部の間で、１８０度の角度でチェーン２を逆転させ、それによって、係合要素の駆動部（図示せず）によってチェーンを駆動する。逆転角度および巻き付け角度、ならびに入る方向および出る方向も、単に例示目的であって、他の角度および方向が、本発明による係合要素により、同様に効果的に実現できる。
【００３２】
スプロケットは、異なる直径を有する第１のピッチ円５と第２のピッチ円６とを有する。例示的な実施形態においては、例示目的で、第２のピッチ円の直径の方が大きい。スプロケットは、例えば、第１のピッチ円５を画定する第１の歯空間８Ａ、８Ｃと、第２のピッチ円６を画定する第２の歯空間８Ｂ、８Ｄとが交互の歯空間の深さを有するインボリュート歯車７として実現できる。第１の歯空間と第２の歯空間は、スプロケットの軸または中央から異なる半径方向距離にあるが、そうでない場合は、類似または同一の歯部形状（これに関しては、例えば、アンダーカット、丸頭（ｈｅａｄ−ｒｏｕｎｄｉｎｇ）など）で実現される。
【００３３】
チェーン２は、チェーンピンの上に、回転可能または摺動可能または旋回可能なチェーンローラまたはランナまたはチェーンランナ３Ａ、３Ｂ、３Ｃ、３Ｄを取り付けたチェーンピンを含む。チェーンローラまたはランナまたはチェーンランナは、チェーンプレートまたはチェーンリンク４を介して相互に接合されている。第１のチェーンピン３Ａ、３Ｃは、第１の側でのみチェーンローラを有するが、第１のチェーンピン３Ａ、３Ｃと交互にある第２のチェーンピン３Ｂ、３Ｄは、第２の側でのみチェーンローラを有する。
【００３４】
チェーンと係合要素の中央面（図４では、図面の平面の下、すなわち輪郭で示されている）の第１の側に配置され、その上を第１のチェーンピン３Ａ、３Ｃが走行する第１の案内レール９によって、これらの第１のチェーンピンが、第１のピッチ円５へと接線方向に案内され、係合要素１の垂直な中央面から係合要素と係合する。それによって、第１のチェーンピンは、一定の周速度ｖ＝Ｒ５×ωを受ける。ここで、Ｒ５は、第１のピッチ円５の半径であり、ωはスプロケット１の回転速度である。
【００３５】
係合要素１と隣接する中央面の反対側の第２の側にも、同様の方法で、第２の案内レール１０が配置されている。第２の案内レール上には、第２のチェーンピン３Ｂ、３Ｄが走行し、第２のピッチ円６が接線方向に案内されて、係合要素１の垂直な中央面から、係合要素と係合する。それによって、第２のチェーンピンは、一定の周速度ｗ＝Ｒ６×ωを受ける。ここで、Ｒ６は、第２のピッチ円６の半径である。
【００３６】
図示していない本発明の別の実施形態では、チェーンプレート４の内側で、チェーンピン３Ａ、３Ｂ、３Ｃ、３Ｄは連続または分割したチェーンローラを有する。第１のチェーンピン３Ａ、３Ｃは、第１の側へ突出し、第２のチェーンピン３Ｂ、３Ｄは第２の側へ突出している。第１のチェーンピンと第２のチェーンピンは、そこに配置された第１および第２の案内レール９、１０上をそれぞれ走行する。
【００３７】
図示された例示的な実施形態においては、交互にある第１および第２の歯空間８Ａ、８Ｃ、８Ｂ、８Ｄはそれぞれ、第１および第２チェーンピンまたはチェーンローラ３Ａ、３Ｂ、３Ｃ、３Ｄとそれぞれ連続して嵌合する。案内レール９、１０によって、これらは、結果的に歯空間へ摺動または移動せずに、各ピッチ円５または６と接線方向で係合するようになる。有利には、それらは、連続的に歯元の上にあり、それによって、チェーンストランド２の進行方向に対して、上向きまたは下向きの鉛直方向または垂直の振動を低減する。
【００３８】
図３に関連して、基本的にすでに説明したとおり、先行の外側チェーンピン３Ｂ、３Ｄが外側のピッチ円６上で逆転するため、内側のチェーンピン３Ａ、３Ｃは、第１の案内レール９上を一定の長手方向の速度で、それぞれ先行の外側チェーンピン３Ｂ、３Ｄによってスプロケットに巻き込まれる。逆に、外側のチェーンピン３Ｂ、３Ｄが、外側のピッチ円６の上に来るため、垂直方向に加速され、それによって、外側のチェーンピンを引っ張る内側のチェーンピン３Ａおよび３Ｃの長手方向の成分が、スプロケットの回転が増すにつれて減少するが、案内レール（複数可）６に沿った外側のチェーンピンの全体の速度は一定に維持される。
【００３９】
それによって、多角形効果が防止されるか、または大幅に低減される。
【図面の簡単な説明】
【００４０】
【図１】従来の係合要素の多角形効果を説明する概略的な代表図である。
【図２】多角形効果が、歯空間内を摺動するチェーンピンによって低減される、最新技術によるスプロケットの概略的な代表図である。
【図３】本発明の一実施形態による係合要素のうち、図１および図２に対応する簡略化側面図である。
【図４】本発明の別の実施形態によるスプロケットの概略的な側面図である。
【図５Ａ】図４によるスプロケットの３次元図であり、第１および第２の案内レールと、チェーンの一部と、本発明による別のスプロケットとが、チェーンストランドの反対側端部にある。
【図５Ｂ】図４によるスプロケットの３次元図であり、第１および第２の案内レールと、チェーンの一部と、本発明による別のスプロケットとが、チェーンストランドの反対側端部にある。
【符号の説明】
【００４１】
１  スプロケット
２  チェーン
３Ａ、３Ｃ  第１チェーンピン
３Ｂ、３Ｄ  第２チェーンピン
４  チェーンプレート
５  第１ピッチ円
６  第２ピッチ円
７  インボリュート歯車
８Ａ、８Ｃ  第１歯空間
８Ｂ、８Ｄ  第２歯空間
９  第１案内レール
１０  第２案内レール
【図１】
2008013370.tif 000003
【図２】
2008013370.tif 000004
【図３】
2008013370.tif 000005
【図４】
2008013370.tif 000006
【図５Ａ】
2008013370.tif 000007
【図５Ｂ】
2008013370.tif 000008
【外国語明細書】
2008013370.tif 000009
2008013370.tif 000010
2008013370.tif 000011
2008013370.tif 000012
2008013370.tif 000013
2008013370.tif 000014
2008013370.tif 000015
2008013370.tif 000016
2008013370.tif 000017
2008013370.tif 000018
2008013370.tif 000019
2008013370.tif 000020
2008013370.tif 000021
2008013370.tif 000022
2008013370.tif 000023
2008013370.tif 000024